(57)【特許請求の範囲】
【請求項１】
端末とネットワークを介して接続される画像出力受付端末からなる画像出力システムにおいて、
画像データの入力を制御する入力制御手段と、
前記画像データに基づく画像一覧の表示を制御する表示制御手段と、
前記画像一覧の中から印刷する画像データの選択を受け付ける第１の選択手段と、
前記第１の選択手段により選択された前記画像データの印刷実行を指示する印刷実行手段と、
前記印刷する画像データの中から送信する画像データの選択を受け付ける第２の選択手段と、
前記第２の選択手段により選択された前記画像データの画像サイズを変更する変更手段と、
画像サイズが変更された前記画像データを、前記端末に送信する送信手段と、
を備え、
前記送信手段は、前記画像データを、前記端末とは別の端末に予備送信しておき、前記端末への前記画像データの送信に失敗した場合、前記別の端末に予備送信された前記画像データを、利用者が指定する送信先アドレスに送信する
ことを特徴とする画像出力システム。
【請求項２】
前記送信手段が前記画像データの送信に失敗した場合、返金チケットを発行する発行手段をさらに備える
ことを特徴とする請求項１に記載の画像出力システム。
【請求項３】
前記送信手段により送信された前記画像データ、前記送信先アドレス、送信日時、送信結果、および返金チケット発行状況を含む送信情報を保持する保持手段をさらに備える
ことを特徴とする請求項１または請求項２に記載の画像出力システム。
【請求項４】
前記画像データの印刷実行に対する課金手段をさらに備え、
前記送信手段は、前記画像データの送信予約を行い、前記課金手段が行われた後、前記画像データを送信する
ことを特徴とする請求項１乃至請求項３のいずれかに記載の画像出力システム。
【請求項５】
前記送信手段は、前記画像データとともに前記画像データの付加情報をさらに送信する
ことを特徴とする請求項１乃至請求項４のいずれかに記載の画像出力システム。
【請求項６】
前記端末は、受信した画像データに基づく画像を表示し、印刷指示を受け付ける印刷指示受付手段をさらに備え、
前記印刷指示受付手段により前記画像の印刷指示を受け付けた場合、前記ネットワークを介して前記画像出力受付端末に対して、前記画像の印刷を指示する
ことを特徴とする請求項１乃至請求項５のいずれかに記載の画像出力システム。
【請求項７】
端末とネットワークを介して接続される画像出力受付端末からなる画像出力システムの画像出力方法において、
画像データの入力を制御する入力制御ステップと、
前記画像データに基づく画像一覧の表示を制御する表示制御ステップと、
前記画像一覧の中から印刷する画像データの選択を受け付ける第１の選択ステップと、
前記第１の選択ステップで選択された前記画像データの印刷実行を指示する印刷実行ステップと、
前記印刷する画像データの中から送信する画像データの選択を受け付ける第２の選択ステップと、
前記第２の選択ステップで選択された前記画像データの画像サイズを変更する変更ステップと、
画像サイズが変更された前記画像データを、前記端末に送信する送信ステップと、
を含み、
前記送信ステップは、前記画像データを、前記端末とは別の端末に予備送信しておき、前記端末への前記画像データの送信に失敗した場合、前記別の端末に予備送信された前記画像データを、利用者が指定する送信先アドレスに送信する
ことを特徴とする画像出力方法。
【請求項８】
コンピュータに、
画像データの入力を制御する入力制御ステップと、
前記画像データに基づく画像一覧の表示を制御する表示制御ステップと、
前記画像一覧の中から印刷する画像データの選択を受け付ける第１の選択ステップと、
前記第１の選択ステップで選択された前記画像データの印刷実行を指示する印刷実行ステップと、
前記印刷する画像データの中から送信する画像データの選択を受け付ける第２の選択ステップと、
前記第２の選択ステップで選択された前記画像データの画像サイズを変更する変更ステップと、
画像サイズが変更された前記画像データを、端末に送信する送信ステップと、
を実行させるためのプログラムであって、
前記送信ステップは、前記画像データを、前記端末とは別の端末に予備送信しておき、前記端末への前記画像データの送信に失敗した場合、前記別の端末に予備送信された前記画像データを、利用者が指定する送信先アドレスに送信する
ことを特徴とするプログラム。
【発明の詳細な説明】
【技術分野】
【０００１】
本発明は、利用者からの注文を受け付け、画像データの印刷を行う画像出力システム、画像出力方法、およびプログラムに関し、特に、画像出力受付端末で印刷指示された画像データを画像表示端末に送信することが可能な画像出力システム等に関するものである。
【背景技術】
【０００２】
近年、デジタルカメラやカメラ付き携帯電話機等で気軽に撮影し、その撮影画像を、街頭端末（キオスク端末）でセルフ印刷するユーザが増えている。例えば、特許文献１には、キオスク端末で受け付けられた画像データをプリント用紙に印刷する技術が示されている。
【０００３】
また撮影画像をデジタルフォトフレーム等の画像表示専用端末を利用して楽しむユーザも増えている。このデジタルフォトフレームには、電子メールでの画像受信手段を備えているものもある。
【先行技術文献】
【特許文献】
【０００４】
【特許文献１】特開２００６−２７２６２０号公報
【発明の概要】
【発明が解決しようとする課題】
【０００５】
デジタルフォトフレームにおいて電子メールで受信される画像データは、主に携帯電話機にて撮影された画像であるが、それらの画像は、デジタルカメラで撮影された画像に比べて満足できる画質（画素数というよりも、背景のぼかし機能など、デジタルカメラにしかない機能の差異）にあるとは言い難い。そのため、デジタルカメラの撮影データをパーソナルコンピュータに取り込み、パーソナルコンピュータに取り込まれた撮影データを電子メールにてデジタルフォトフレームへ送信する手段も考えられるが、これは、わざわざパーソナルコンピュータを起動して画像を選択し、選択した画像を電子メールにて送信しなければならず非常に操作が煩わしい課題があった。
【０００６】
本発明は、前述した問題点に鑑みてなされたもので、その目的とすることは、画像出力受付端末で印刷指示された画像データを画像表示端末に送信することが可能な画像出力システム等を提供することである。
【課題を解決するための手段】
【０００７】
前述した目的を達成するために、第１の発明は、端末とネットワークを介して接続される画像出力受付端末からなる画像出力システムにおいて、画像データの入力を制御する入力制御手段と、前記画像データに基づく画像一覧の表示を制御する表示制御手段と、前記画像一覧の中から印刷する画像データの選択を受け付ける第１の選択手段と、前記第１の選択手段により選択された前記画像データの印刷実行を指示する印刷実行手段と、前記印刷する画像データの中から送信する画像データの選択を受け付ける第２の選択手段と、前記第２の選択手段により選択された前記画像データの画像サイズを変更する変更手段と、画像サイズが変更された前記画像データを、前記端末に送信する送信手段と、を備え、前記送信手段は、前記画像データを、前記端末とは別の端末に予備送信しておき、前記端末への前記画像データの送信に失敗した場合、前記別の端末に予備送信された前記画像データを、利用者が指定する送信先アドレスに送信することを特徴とする画像出力システムである。第１の発明によって、画像出力受付端末で印刷指示された画像データを画像表示端末に合う画像サイズに変更した後、画像表示端末に送信することができる。
【０００８】
また、画像送信に失敗したとしても、別の端末に予備送信しておいた画像データを、利用者が指定する送信先アドレスに再送することが可能となる。
【０００９】
前記送信手段が前記画像データの送信に失敗した場合、返金チケットを発行する発行手段をさらに備える。
これにより、画像送信に失敗した場合、利用者は、先払いした料金の返金を受け取ることができる。
【００１０】
前記送信手段により送信された前記画像データ、前記送信先アドレス、送信日時、送信結果、および返金チケット発行状況を含む送信情報を保持する保持手段をさらに備える。
これにより、画像送信の失敗等で利用者から問い合わせがあった場合に、管理者は、送信情報を確認することで迅速に対応することができる。
【００１１】
前記画像データの印刷実行に対する課金手段をさらに備え、前記送信手段は、前記画像データの送信予約を行い、前記課金手段が行われた後、前記画像データを送信する。
これにより、支払いが確認できない場合には、画像送信を中止することができる。
【００１２】
前記送信手段は、前記画像データとともに前記画像データの付加情報をさらに送信する。
例えば、付加情報が店舗広告等の場合、プリントサービス料を安くしたり、クーポンを発行したりすることができる。
【００１３】
前記端末は、受信した画像データに基づく画像を表示し、印刷指示を受け付ける印刷指示受付手段をさらに備え、前記印刷指示受付手段により前記画像の印刷指示を受け付けた場合、前記ネットワークを介して前記画像出力受付端末に対して、前記画像の印刷を指示する。
これにより、フォトフレーム端末や携帯端末から、画像の印刷を注文することができる。
【００１４】
第２の発明は、端末とネットワークを介して接続される画像出力受付端末からなる画像出力システムの画像出力方法において、画像データの入力を制御する入力制御ステップと、前記画像データに基づく画像一覧の表示を制御する表示制御ステップと、前記画像一覧の中から印刷する画像データの選択を受け付ける第１の選択ステップと、前記第１の選択ステップで選択された前記画像データの印刷実行を指示する印刷実行ステップと、前記印刷する画像データの中から送信する画像データの選択を受け付ける第２の選択ステップと、前記第２の選択ステップで選択された前記画像データの画像サイズを変更する変更ステップと、画像サイズが変更された前記画像データを、前記端末に送信する送信ステップと、を含み、前記送信ステップは、前記画像データを、前記端末とは別の端末に予備送信しておき、前記端末への前記画像データの送信に失敗した場合、前記別の端末に予備送信された前記画像データを、利用者が指定する送信先アドレスに送信することを特徴とする画像出力方法である。
【００１５】
第３の発明は、コンピュータに、画像データの入力を制御する入力制御ステップと、前記画像データに基づく画像一覧の表示を制御する表示制御ステップと、
前記画像一覧の中から印刷する画像データの選択を受け付ける第１の選択ステップと、前記第１の選択ステップで選択された前記画像データの印刷実行を指示する印刷実行ステップと、前記印刷する画像データの中から送信する画像データの選択を受け付ける第２の選択ステップと、前記第２の選択ステップで選択された前記画像データの画像サイズを変更する変更ステップと、画像サイズが変更された前記画像データを、端末に送信する送信ステップと、を実行させるためのプログラムであって、前記送信ステップは、前記画像データを、前記端末とは別の端末に予備送信しておき、前記端末への前記画像データの送信に失敗した場合、前記別の端末に予備送信された前記画像データを、利用者が指定する送信先アドレスに送信することを特徴とするプログラムである。
【発明の効果】
【００１６】
本発明により、画像出力受付端末で印刷指示された画像データを画像表示端末に送信することが可能な画像出力システム、画像出力方法、およびプログラムを提供することができる。
【図面の簡単な説明】
【００１７】
【図１】本発明の実施の形態に係る画像出力システムの構成例を示す図である。
【図２】画像出力受付端末の外観斜視図である。
【図３】画像出力受付端末のハードウエアの構成例を示すブロック図である。
【図４】画像出力受付端末内のコンピュータの機能構成例を示すブロック図である。
【図５】画像出力受付端末１の処理について説明するフローチャートである。
【図６】画像一覧画面の表示例を示す図である。
【図７】メール送信確認画面の表示例を示す図である。
【図８】プリント指示された画像一覧画面の表示例を示す図である。
【図９】画像サイズ選択画面の表示例を示す図である。
【図１０】送信先デバイス選択画面の表示例を示す図である。
【図１１】メールアドレス入力画面の表示例を示す図である。
【図１２】画像出力受付端末から受信した画像を携帯端末が印刷注文する処理を説明するフローチャートである。
【発明を実施するための形態】
【００１８】
以下、図面に基づいて、本発明の実施形態を詳細に説明する。
【００１９】
［本発明の実施の形態］
図１は、本発明の実施の形態に係る画像出力システムの構成例を示す図である。
【００２０】
図１に示す画像出力システムは、画像出力受付端末１、フォトフレーム端末２、携帯端末３、画像管理用サーバ４、およびメールサーバ５が、ネットワーク６を介して相互に接続されることで構成される。なお、画像出力受付端末１、フォトフレーム端末２、および携帯端末３の数は、任意であり、それぞれ複数設けることも勿論可能である。
【００２１】
画像出力受付端末１は、店頭や駅構内において、入力メディア（記憶媒体）や携帯端末３に記憶されている画像データの印刷を受け付け、印刷を行う端末である。画像出力受付端末１は、予め画像データが記憶された入力メディアや携帯端末３から画像データを取得し、内部に保持する。
【００２２】
画像出力受付端末１は、印刷画像データのうち、利用者によって送信指示された画像データを所定の画像サイズに変更した後、ネットワーク６を介してフォトフレーム端末２や携帯端末３に送信する。画像出力受付端末１は、画像データの送信処理と並行して、画像サイズ変更前の高画質の画像データを、ネットワーク６を介して画像管理用サーバ４に送信し、そこに保存させる。
【００２３】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００２４】
フォトフレーム端末２は、前面に液晶ディスプレイを備えており、デジタルカメラやカメラ付き携帯電話機などで撮影された画像データを表示する表示専用装置である。フォトフレーム端末２は、メモリカードスロットに装着されたメモリカードなどから画像データを呼び出して直接表示する。フォトフレーム端末２は、専用ケーブルでの有線通信、赤外線通信、無線通信（例えば、Wi-Fi（wireless fidelity））、またはBluetooth（登録商標）通信などで受信した画像データを内蔵記憶装置に記憶し、内蔵記憶装置から画像データを呼び出して表示する。
【００２５】
またフォトフレーム端末２は、ネットワーク６を介して他の外部装置との通信制御を行うための通信部を有する。例えば、フォトフレーム端末２は、ネットワーク６を介して画像出力受付端末１から送信された画像データを、メールサーバ５およびネットワーク６を介して受信する。
【００２６】
携帯端末３は、CPU（Central
Processing Unit）、ROM（Read Only
Memory）、RAM（Random Access
Memory）、HDD（Hard Disc Drive）、入力部、および表示画面などを実装した携帯型コンピュータであって、例えば、スマートフォン、iPhone（登録商標）、カメラ付き携帯電話機、ipad（登録商標）等である。
【００２７】
携帯端末３は、利用者の指示に応じて、内部に記憶されている画像データを画像出力受付端末１に無線通信で送信し、あるいは、専用ケーブルにより有線通信で出力する。また携帯端末３は、画像出力受付端末１から送信された画像データを、メールサーバ５およびネットワーク６を介して受信する。
【００２８】
画像管理用サーバ４は、例えば、コンピュータ等であり、画像出力受付端末１からネットワーク６を介して送信されてきた高画質の画像データを保存する。メールサーバ５は、例えば、コンピュータ等であり、ネットワーク６を介して受信した電子メールを、所定の宛先に送信する。
【００２９】
ネットワーク６は、インターネットやローカルエリアネットワーク（ＬＡＮ）等のネットワークであり、有線、無線は特に問わない。
【００３０】
図２は、画像出力受付端末１の外観斜視図である。
【００３１】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００３２】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００３３】
画像出力受付端末１の下段部の前面板１４には、レシート取出口１５、硬貨投入口１６および紙幣挿入口１７のような料金投入口、つり銭返却口１８、プリント物取出口１９、ドア開閉キー２０、メンテナンスキー２１等が設けられている。
【００３４】
レシート取出口１５、硬貨投入口１６、紙幣挿入口１７、つり銭返却口１８は、利用者によるプリント物の注文内容に応じた入金を要求する課金手段として機能する。利用者は、硬貨投入口１６に硬貨を投入したり、紙幣挿入口１７に紙幣を挿入したりすることにより、プリント物の料金を支払う。つり銭がある場合には、つり銭返却口１８から放出される。また、料金徴収後、徴収金額や注文内容等が印刷されたレシートがレシート取出口１５から放出される。
【００３５】
プリント物取出口１９には、画像出力受付端末１の筐体内に設置されるプリンタにより印刷されたプリント物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００３６】
次に、画像出力受付端末１の基本的動作について説明する。
【００３７】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末３等から読み込んだ画像の中から印刷注文する画像を選択する。
【００３８】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。また利用者は、印刷注文した画像のうち、所定の画像を選択して送信実行を指示すると、画像出力受付端末１内のコンピュータが、選択画像を送信先の端末に合う画像サイズに変更し、それを電子メールにて送信する。
【００３９】
画像出力受付端末１は、利用者にプリント物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷されたプリント物は、プリント物取出口１９から排出され、利用者に提供される。
【００４０】
なお、画像出力受付端末１は、料金算出、レシート（引換券）の発行を行うだけでなく、課金機を装備しているため、利用者に入金を要求して現金による課金処理を行うようにすることもできる。
【００４１】
図３は、画像出力受付端末１のハードウエアの構成例を示すブロック図である。
【００４２】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８を制御する。
【００４３】
制御部３１は、プログラムの実行を行うCPUと、プログラム命令あるいはデータ等を格納するためのRAM、ROM等で構成される。制御部３１は、記憶部３２等に格納されたプログラムに従って、バス３５を介して接続された各装置を制御する。
【００４４】
記憶部３２には、制御部３１が実行するプログラム、プログラム実行に必要なデータ、ＯＳ（Operating
System）等が格納される。プログラムは、例えば、画像入力プログラム、課金処理プログラム、レシート印刷処理プログラム、保守プログラム等である。データは、例えば、画像データや印刷データ等である。
【００４５】
プログラムのコードは、制御部３１により必要に応じて読み出され、RAMに移され、CPUに読み出されて各種機能として実行される。
【００４６】
入出力部３３は、記憶部３２に格納されているプログラム等の更新や、画像出力受付端末１の設定等を行うメンテナンス時に用いられる。
【００４７】
通信部３４は、通信制御装置、通信ポート等を有し、画像出力受付端末１とネットワーク６間の通信を媒介する通信インターフェースである。通信部３４は、ネットワーク６を介して画像出力受付端末１と他の外部装置間の通信制御を行う。
【００４８】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末３に予め記憶されている画像データを読み込む。
【００４９】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００５０】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００５１】
レシートジャーナル処理部４７は、レシート取出口１５に対応して画像出力受付端末１内部に設けられ、利用者の徴収金額や注文内容に応じたレシートを印刷する。
【００５２】
プリンタ４８は、プリント物取出口１９に対応して画像出力受付端末１内部に設けられ、プリント物を印刷する。プリンタ４８は、画像データを印刷する高解像度カラープリンタであり、熱転写プリンタあるいはインクジェット型など、プリンタの方式は特に問わない。
【００５３】
なお、プリンタ４８は、画像出力受付端末１内部に設けられ、そこで印刷が行われるが、これに限らず、例えば、通信部３４およびネットワーク６を介して接続されたプリンタサーバ（図示せず）に画像データを転送し、そこで印刷を行わせることも勿論可能である。すなわち、画像出力受付端末１とプリンタ４８はそれぞれ別体であってもよい。
【００５４】
図４は、画像出力受付端末１内のコンピュータ３０の機能構成例を示すブロック図である。図４に示す機能部のうちの少なくとも一部は、図３の制御部３１により画像印刷プログラムが実行されることによって実現される。
【００５５】
入力制御部５１は、各種メディア読取部４１で読み込まれた画像データや通信部４２で読み込まれた画像データの入力を制御する。
【００５６】
表示制御部５２は、入力制御部５１に入力された画像データの一覧表示画面、画像データの印刷サービスを利用者に提供するための画像出力サービス案内画面、および、印刷画像データの送信を受け付けるための画像データの送信画面等の各種画面のモニタ４４上への表示を制御する。
【００５７】
操作受付部５３は、モニタ４４に表示されている画面において、利用者による画像の選択や各種操作を受け付ける。
【００５８】
画像サイズ変更部５４は、操作受付部５３によって受け付けられた選択画像の画像サイズを所定サイズに変更（リサイズ）する。リサイズとは、画像データのピクセル数を変更することであって、例えば、電子メールに添付する際に、そのままの画像データではファイル容量が大きすぎる場合に小さくする目的で行われる。
【００５９】
課金部５５は、印刷注文に応じた料金を算出し、その算出結果をモニタ４４に表示させ、利用者に支払いを要求する。また課金部５５は、コインメック４５やビルバリ４６の金銭の入出力を管理する。
【００６０】
印刷実行部５６は、課金部５５によって課金処理が完了すると、印刷対象の画像データを印刷データに変換し、印刷データの印刷を実行する。
【００６１】
メール送信制御部５７は、画像サイズ変更部５４によって画像サイズが変更された画像データを電子メールに添付し、利用者によって指定された所定の宛先に送信する。
【００６２】
次に、図５のフローチャートを参照して、画像出力受付端末１の処理について説明する。この処理は、画像出力受付端末１が画像出力サービスの案内画面を表示している際に、利用者が、その案内に従って所定のメディア投入口１２に入力メディアを挿入した場合に開始される。
【００６３】
ステップＳ１において、画像出力受付端末１の制御部３１は、各種メディア読取部４１が入力メディアから読み出した画像データを読み込む。画像出力受付端末１の表示制御部５２は、読み込まれた画像データの画像一覧をタッチパネル付ディスプレイ１１に表示させる。
【００６４】
図６は、画像一覧画面１００の表示例を示す図である。
【００６５】
図６に示すように、画像一覧画面１００には、入力メディアから読み込んだ画像データのサムネイル画像Ｐ１〜Ｐ９が一覧表示されている。また印刷注文するための「プリント」ボタン１０１、印刷注文をキャンセルするための「キャンセル」ボタン１０２も表示されている。
【００６６】
利用者は、図６に示す画像一覧画面１００において、印刷注文する画像を選択し、「プリント」ボタン１０１を押下することで、画像を印刷注文することができる。また利用者は、「キャンセル」ボタン１０２を押下することで、印刷注文をキャンセルし、画像出力サービスの案内画面に戻ることができる。
【００６７】
図５の説明に戻る。ステップＳ２において、画像出力受付端末１の操作受付部５３は、利用者によるプリント画像の選択を受け付けたか否かを判定し、プリント画像の選択を受け付けるまで待機する。そして、ステップＳ２において、画像出力受付端末１の操作受付部５３は、プリント画像の選択を受け付けたと判定した場合、ステップＳ３に進む。
【００６８】
ステップＳ３において、画像出力受付端末１の表示制御部５２は、プリント画像の印刷実行中を示すメッセージとともに、プリント画像のメール送信を行うか否かを確認する画面を、タッチパネル付ディスプレイ１１に表示する。
【００６９】
図７は、メール送信確認画面１１０の表示例を示す図である。図７に示すように、メール送信確認画面１１０には、プリント画像の印刷実行中を示すメッセージとして「プリント中です・・・」が表示されており、プリント画像のメール送信を行う場合に選択される「メール送信」ボタン１１１も表示されている。
【００７０】
利用者は、図７に示すメール送信確認画面１１０において、「メール送信」ボタン１１１を押下することで、メール送信画像を選択するための画面に進むことができる。また利用者は、プリント画像のメール送信を行わない場合には、特に操作を行わず、印刷終了するまで待機する。
【００７１】
図５の説明に戻る。ステップＳ４において、画像出力受付端末１の操作受付部５３は、利用者によるメール送信の選択（指示）を受け付けたか否か、つまり、図７に示すメール送信確認画面１１０において、「メール送信」ボタン１１１が押下されたか否かを判定し、メール送信の選択を受け付けたと判定した場合、ステップＳ５に進む。ステップＳ５において、画像出力受付端末１の表示制御部５２は、プリント指示された画像を、タッチパネル付ディスプレイ１１に再表示する。
【００７２】
図８は、プリント指示された画像一覧画面１２０の表示例を示す図である。図８に示すように、プリント画像一覧画面１２０には、プリント指示された画像データのサムネイル画像Ｐ１、Ｐ３、Ｐ６、Ｐ８が一覧表示されている。またメール送信画像の選択後に次の画面に進むための「次へ」ボタン１２１も表示されている。
【００７３】
利用者は、図８に示すプリント画像一覧画面１２０において、メール送信する画像を選択し、「次へ」ボタン１２１を押下することで、次の画面に進むことができる。なお、メール送信する画像の数は、複数でもよく、送信手段に応じて制限をかけるようにしてもよい。
【００７４】
図５の説明に戻る。ステップＳ６において、画像出力受付端末１の操作受付部５３は、利用者によりメール送信する画像の選択を受け付けたか否かを判定し、メール送信する画像の選択を受け付けるまで待機する。そして、ステップＳ６において、画像出力受付端末１の操作受付部５３は、メール送信する画像の選択を受け付けたと判定した場合、ステップＳ７に進む。
【００７５】
ステップＳ７において、画像出力受付端末１の表示制御部５２は、画像サイズ選択画面を、タッチパネル付ディスプレイ１１に表示する。
【００７６】
図９は、画像サイズ選択画面１３０の表示例を示す図である。図９に示すように、画像サイズ選択画面１３０には、「３２０×２４０（ピクセル）」選択ボタン１３１、「６４０×４８０（ピクセル）」選択ボタン１３２、「１９２０×１０８０（ピクセル）」選択ボタン１３２が表示されている。また画像サイズ選択後に次の画面に進むための「次へ」ボタン１３４も表示されている。
【００７７】
利用者は、図９に示す画像選択サイズ選択画面１３０において、送信先の端末に合わせた画像サイズの選択ボタンを選択し、「次へ」ボタン１３４を押下することで、次の画面に進むことができる。
【００７８】
なお、図９に示したように画像サイズを直接選択することにより、画像データの画像サイズを変更するだけでなく、例えば、送信先のデバイス名を表示し、そのデバイスに応じて設定されている画像サイズに変更するようにしてもよい。
【００７９】
図１０は、送信先デバイス選択画面１４０の表示例を示す図である。図１０に示すように、送信先デバイス選択画面１４０には、「携帯待ちうけ」選択ボタン１４１、「デジタルフォトフレーム」選択ボタン１４２が表示されている。また送信先デバイス選択後に次の画面に進むための「次へ」ボタン１４３も表示されている。
【００８０】
利用者は、図１０に示す送信先デバイス選択画面１４０において、送信先デバイスの選択ボタンを選択し、「次へ」ボタン１４３を押下することで、次の画面に進むことができる。
【００８１】
図５の説明に戻る。ステップＳ８において、画像出力受付端末１の操作受付部５３は、利用者により画像サイズ（送信先デバイス）の選択を受け付けたか否かを判定し、画像サイズの選択を受け付けるまで待機する。そして、ステップＳ８において、画像出力受付端末１の操作受付部５３は、画像サイズの選択を受け付けたと判定した場合、ステップＳ９に進む。
【００８２】
ステップＳ９において、画像出力受付端末１の画像サイズ変更部５４は、ステップＳ６で選択された送信画像の画像サイズを、ステップＳ８で選択された画像サイズ（送信先デバイスに対応する画像サイズ）に変更する。またこのとき、画像出力受付端末１の制御部３１は、高画質のままの（画像サイズを変更していない）画像データを、ネットワーク６を介して画像管理用サーバ４へ送信し、そこで保管させる。ステップＳ１０において、画像出力受付端末１の表示制御部５２は、メールアドレス入力画面を、タッチパネル付ディスプレイ１１に表示する。
【００８３】
図１１は、メールアドレス入力画面１５０の表示例を示す図である。図１１に示すように、メールアドレス入力画面１５０には、メールアドレス入力欄１５１、メールアドレス入力欄１５１にメールアドレスを入力するためのキーボード１５２が表示されている。またメールアドレス入力欄１５１に入力されたメールアドレスにメール送信を行う場合に選択される「送信」ボタン１５３も表示されている。
【００８４】
利用者は、キーボード１５２を用いてメールアドレス入力欄１５１にメールアドレスを入力し、「送信」ボタン１５３を押下することで、画像を所定のデバイスに送信することができる。なお、送信先のメールアドレスは、複数入力することもできる。
【００８５】
図５の説明に戻る。ステップＳ１１において、画像出力受付端末１の操作受付部５３は、利用者によりメールアドレスが入力されたか否かを判定し、メールアドレスが入力されるまで待機する。そして、ステップＳ１１において、画像出力受付端末１の操作受付部５３は、メールアドレスが入力され送信が指示されたと判定した場合、ステップＳ１２に進む。
【００８６】
またステップＳ４において、画像出力受付端末１の操作受付部５３は、利用者によるメール送信の選択（指示）を受け付けていないと判定した場合、ステップＳ５〜Ｓ１１の処理をスキップしてステップＳ１２に進む。
【００８７】
ステップＳ１２において、画像出力受付端末１の課金部５５は、利用者に対して、印刷注文するプリント物の枚数の指定等を促す。また画像出力受付端末１の課金部５５は、利用者からの印刷注文に対する代金の合計金額を算出し、タッチパネル付ディスプレイ１１に算出結果（印刷代金）を表示する。
【００８８】
ステップＳ１３において、画像出力受付端末１の印刷実行部５６は、印刷対象の画像データを印刷データに変換し、印刷データをプリンタ４８で印刷させる。印刷されたプリント物は、プリント物取出口１９から排出され、利用者に提供される。また、画像出力受付端末１の印刷実行部５６は、画像送信に失敗した場合の返金チケットをレシートプリンタで印刷させる。印刷された返金チケットは、レシート取出口１５から排出され、利用者に提供される。
【００８９】
印刷処理終了後、ステップＳ１４において、画像出力受付端末１のメール送信制御部５７は、ステップＳ６で選択された画像を、ステップＳ１１で入力された指定アドレスに送信する。そしてメールサーバ５は、画像出力受付端末１から受信した電子メールを、ネットワーク６を介して指定アドレスに送信する。送信する画像データは、ステップＳ９で画像サイズを変更した低画質の画像データを用いるようにし、高画質の（画像サイズを変更していない）画像データは、画像管理用サーバ４で保管される。
【００９０】
なお、課金部５５によって支払いの確認ができた場合にのみ、指定アドレスに画像データを送信するようにし、支払いが確認できない場合には画像送信を中止するようにしてもよい。
【００９１】
ステップＳ１５において、画像出力受付端末１の制御部３１は、利用者の注文識別番号（注文内容を一意に識別する情報）、ステップＳ６で選択された送信画像データ、ステップＳ１１で入力された送信先のメールアドレス、ステップＳ１４での送信日時と送信結果（成功または失敗）、および返金チケット発行状況等の送信情報をアプリケーション内部に保持する。
【００９２】
以上のように、画像出力受付端末１で印刷指示された画像データの印刷を行うだけでなく、印刷指示された画像データの中から利用者によって選択された画像データを、指定されたアドレス先に送信することが可能となる。
【００９３】
また画像出力受付端末１から送信されてきた画像データを受信したフォトフレーム端末２や携帯端末３は、受信画像を確認し、そこで印刷注文することもできる。
【００９４】
図１２は、画像出力受付端末１から受信した画像を携帯端末３が印刷注文する処理を説明するフローチャートである。
【００９５】
ステップＳ３１において、携帯端末３のCPUは、画像出力受付端末１から受信した画像を表示画面に表示させる。この表示画面には、例えば、印刷注文するための案内（例えば注文サイトのＵＲＬ（Uniform Resource Locator））が示されており、利用者は、案内に従って、印刷注文する画像の選択を行うことができる。ステップＳ３２において、携帯端末３のCPUは、利用者による印刷注文する画像の選択を受け付ける。
【００９６】
ステップＳ３３において、携帯端末３のCPUは、利用者に対して、印刷注文するプリント物の枚数の指定等を促す。ステップＳ３４において、携帯端末３のCPUは、利用者によって指定された注文内容を、ネットワーク６を介して画像管理用サーバ４に送信する。なお、注文方法は何でも良く、例えば、注文サイトに直接アクセスして注文内容を入力したり、印刷画像を特定する情報が記載された電子メールを送信したりする方法等がある。
【００９７】
ステップＳ３５において、画像管理用サーバ４は、ネットワーク６を介して、携帯端末３から送信されてきた注文内容を受信する。ステップＳ３６において、画像管理用サーバ４は、ステップＳ３５で受信した注文内容に基づいて、印刷対象の高画質の画像データを呼び出し、呼び出した画像データを印刷データに変換し、ネットワーク６を介して画像出力受付端末１のプリンタ４８に送信する。画像出力受付端末１のプリンタ４８は、画像管理用サーバ４から送信されてきた印刷データを印刷する。なお、画像出力受付端末のプリンタ４８で印刷を行わせるだけでなく、ネットワーク６上に専用のプリンタサーバを設け、そこで印刷を行わせるようにしても良い。そして印刷されたプリント物は、郵送などによって利用者に提供される。
【００９８】
以上のように、フォトフレーム端末２や携帯端末３で受信された画像データは低画質であり高画質に戻すことはできないが、画像出力受付端末１から画像データが送信される際に高画質の画像データを画像管理用サーバ４で保管しておくことにより、フォトフレーム端末２や携帯端末３で受信された低画質の画像データから、高画質のプリント物の注文を行うことが可能となる。
【００９９】
なお、決済方法は何でも良いが、例えば、画像出力受付端末１の決済機能（課金部５５）を利用した先払いなどがある。これは、後にフォトフレーム端末２や携帯端末３からプリント物が注文されることを前提に、画像出力受付端末１で先に支払いを行うものである。この場合、フォトフレーム端末２や携帯端末３から一定期間プリント物の注文がなされなかった場合に返金するための返金チケットを予め発行しても良い。これにより、フォトフレーム端末２や携帯端末３の所有者が画像データを確認し、プリント不要と判断してプリント物の注文を行わなければ、先払いした料金の返金を受け取ることができる。
【０１００】
［変形例］
１．画像出力受付端末１のメール送信制御部５７は、画像送信に失敗した場合に備え、指定アドレスとは別のメールアドレス（例えば店舗用メールアドレス）をアプリケーションに予め登録しておき、その別のメールアドレスにも画像を送信する。これにより、メールサーバ５は、別のメールアドレスに送信された画像データを一定期間保存しておくことができる。そして後日、利用者から画像データが届いていない旨の連絡があった場合には、画像出力受付端末１のメール送信制御部５７は、予備送信しておいたメールアドレスから、利用者が指定するアドレスに送信（転送）することが可能となる。
【０１０１】
２．また画像出力受付端末１の制御部３１は、画像送信の失敗に備え、利用者に対して返金チケットを発行するようにしてもよい。これにより、利用者は、画像出力受付端末１側で画像データを正しく送信できなかった場合やフォトフレーム端末２や携帯端末３で正しく受信できなかった場合には、容易に返金を行うことができる。
【０１０２】
３．画像出力受付端末１は、送信画像の一部に店舗広告等を合成したり、あるいは、店舗広告等を別の画像データとして送信したりするようにしてもよい。このように、店舗広告等を送信画像の付加情報として送信する場合には、送信料金を安くしたり、クーポンを発行したりすることで、販促効果も期待することができる。
【０１０３】
４．また画像出力受付端末１の制御部３１は、店舗広告等を送信画像データとともに送信するだけでなく、利用者によって入力されたメッセージを送信画像に合成したり、あるいは、メッセージをもとに作成したメッセージカードデータ等を送信することも可能である。
【０１０４】
５．画像データの送信先が携帯端末３の場合、送信手段は、電子メールに限定されず、例えば、赤外線通信やBluetooth（登録商標）通信などを用いることも可能である。また画像データの送信先がフォトフレーム端末２の場合も、送信手段は電子メールではなく（メールサーバ５を介さず）、直接フォトフレーム端末２に送信することも可能である。
【０１０５】
［発明の実施の形態における効果］
以上のように、画像出力受付端末１で印刷指示された画像データの印刷を行うとともに、印刷指示された画像データの中から利用者によって選択された画像データを、指定されたアドレス先に送信することが可能となる。
【０１０６】
これにより、利用者は、街頭や店頭に設置されている画像出力受付端末１を操作して画像のプリント注文を行う場合、待ち客の存在や周囲の状況が気になってしまい、操作が煩雑になりがちであるが、画像出力受付端末１から自宅に設置されているフォトフレーム端末２や携帯端末３等に画像データを送信しておくことで、空いた時間にいつでもプリント物の注文を行うことができる。
【０１０７】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１０８】
１………画像出力受付端末
２………フォトフレーム端末
３………携帯端末
５１………入力制御部
５２………表示制御部
５３………操作受付部
５４………画像サイズ変更部
５５………課金部
５６………印刷実行部
５７………メール送信制御部
【図１】
0005776383.tif 000002
【図２】
0005776383.tif 000003
【図３】
0005776383.tif 000004
【図４】
0005776383.tif 000005
【図５】
0005776383.tif 000006
【図６】
0005776383.tif 000007
【図７】
0005776383.tif 000008
【図８】
0005776383.tif 000009
【図９】
0005776383.tif 000010
【図１０】
0005776383.tif 000011
【図１１】
0005776383.tif 000012
【図１２】
0005776383.tif 000013